【手続補正書】
【提出日】平成28年7月27日(2016.7.27)
【手続補正１】
【補正対象書類名】特許請求の範囲
【補正対象項目名】全文
【補正方法】変更
【補正の内容】
【特許請求の範囲】
【請求項１】
行動ログを管理するためのシステムであって、
グループを構成する複数のメンバーの各々による行動の内容を含む行動ログの入力を受け付けるためのログ入力手段と、
入力された各前記行動ログを保存するための記憶手段と、
検索キーの入力を受け付けるための検索キー入力手段と、
前記保存されている各前記行動ログから、前記検索キーが含まれる行動ログを検索するための検索手段と、
当該検索の結果として、検索された行動ログに含まれる行動に関連付けられた情報を出力するための出力手段とを備え、
前記システムは、電子機器を含み、
前記電子機器は、
前記検索キー入力手段と、
前記検索キーを前記検索手段に送信するための送信手段と、
前記検索手段から検索結果を受信するための受信手段と、
前記出力手段とを含み、
前記出力手段は、前記受信手段によって受信された検索結果を出力するように構成されており、
前記出力手段は、前記検索キーの入力を受け付けた電子機器の内部情報に関連付けられた認識情報と同じ認識情報を内部に有する電子機器から入力された行動ログに関連付けられた情報を出力するように構成されている、行動ログを管理するためのシステム。
【請求項２】
行動ログの管理装置であって、
グループを構成する複数のメンバーの各々による行動の内容を含む行動ログを受信するための受信手段と、
各前記行動ログを保存するための記憶手段と、
検索キーの入力を受け付けるための検索キー入力手段と、
各前記行動ログから、前記検索キーが含まれる行動ログを検索するための検索手段と、
当該検索の結果として、検索された行動ログに含まれる行動に関連付けられる情報を知らせるためのメッセージを出力するための出力手段とを備える、行動ログの管理装置。
【請求項３】
前記出力手段は、前記検索キーの入力を受け付けた電子機器の内部情報に関連付けられた認識情報と同じ認識情報を内部に有する電子機器から入力された行動ログに関連付けられた情報を出力するように構成されている、請求項２に記載の行動ログの管理装置。
【請求項４】
前記検索キー入力手段は、検索キーの入力者を識別するための情報の入力をさらに受け付け、
前記検索キーの入力者が前記複数のメンバーのいずれかである場合に、前記検索手段は、前記行動ログを検索するように構成されている、請求項２または３に記載の行動ログの管理装置。
【請求項５】
前記検索手段は、前記検索キーが含まれる行動ログの内容に関連付けられるメンバーを検索し、
前記出力手段は、前記行動に関連付けられる情報として、当該メンバーの識別情報を出力するように構成されている、請求項２〜４のいずれかに記載の行動ログの管理装置。
【請求項６】
前記検索キー入力手段は、
発話された音声の入力を受け付けるための音声入力手段と、
前記音声を認識して文字列に変換するための音声認識手段とを含み、
前記行動ログは、文字列を含み、
前記検索手段は、前記変換後の文字列に基づいて、前記検索キーが含まれる行動ログを検索するように構成されている、請求項２〜５のいずれかに記載の行動ログの管理装置。
【請求項７】
前記行動ログを検索することは、
前記変換後の文字列から名詞を抽出することと、
各前記行動ログから、前記名詞を含む行動ログを検索することとを含む、請求項２〜６のいずれかに記載の行動ログの管理装置。
【請求項８】
前記検索キー入力手段は、検索キーの入力者を識別するための情報の入力をさらに受け付け、
前記検索キーの入力者が前記複数のメンバーのいずれかである場合に、前記検索手段は、前記行動ログを検索するように構成されている、請求項２〜７のいずれかに記載の行動ログの管理装置。
【請求項９】
電子機器と通信するための通信手段をさらに備え、
前記検索キー入力手段は、前記電子機器によって送信された検索キーの入力を受け付けるように構成されている、請求項２〜８のいずれかに記載の行動ログの管理装置。
【請求項１０】
情報出力装置と通信するための通信手段をさらに備え、
前記出力手段は、前記通信手段を介して前記情報出力装置に前記メッセージを出力するように構成されている、請求項２〜９のいずれかに記載の行動ログの管理装置。
【請求項１１】
検索キーの入力を受け付けるための検索キー入力手段と、
グループを構成する複数のメンバーの各々による行動の内容を含む行動ログにアクセスして、各前記行動ログから、前記検索キーが含まれる行動ログを検索するための検索手段と、
当該検索の結果として、検索された行動ログに含まれる行動に関連付けられる情報を出力するための出力手段とを備える、電子機器。
【請求項１２】
前記出力手段は、前記検索キーの入力を受け付けた電子機器の内部情報に関連付けられた認識情報と同じ認識情報を内部に有する電子機器から入力された行動ログに関連付けられた情報を出力するように構成されている、請求項１１に記載の電子機器。
【請求項１３】
前記検索キー入力手段は、検索キーの入力者を識別するための情報の入力をさらに受け付け、
前記検索キーの入力者が前記複数のメンバーのいずれかである場合に、前記検索手段は、前記行動ログを検索するように構成されている、請求項１１または１２に記載の電子機器。
【請求項１４】
前記検索手段は、前記検索キーが含まれる行動ログの内容に関連付けられるメンバーを検索し、
前記出力手段は、前記行動に関連付けられる情報として、当該メンバーの識別情報を出力するように構成されている、請求項１１〜１３のいずれかに記載の電子機器。
【請求項１５】
前記検索キー入力手段は、
発話された音声の入力を受け付けるための音声入力手段と、
前記音声を認識して文字列に変換するための音声認識手段とを含み、
前記行動ログは、文字列を含み、
前記出力手段は、前記行動に関連付けられる情報を、文字または音声で出力する、請求項１１〜１４のいずれかに記載の電子機器。
【請求項１６】
前記検索手段は、前記検索キーが含まれる行動ログの内容に関連付けられるメンバーを検索し、
前記出力手段は、前記行動に関連付けられる情報として、当該メンバーの識別情報を出力するように構成されている、請求項１１〜１５のいずれかに記載の電子機器。
【請求項１７】
各前記行動ログを保存するための記憶手段をさらに備え、
前記検索手段は、前記記憶手段に保存されている各前記行動ログから、前記検索キーが含まれる行動ログを検索するように構成されている、請求項１１〜１６のいずれかに記載の電子機器。
【請求項１８】
各前記行動ログを格納するように構成されたサーバ装置と通信するための通信手段をさらに備え、
前記検索手段は、前記サーバ装置に保存されている各前記行動ログから、前記検索キーが含まれる行動ログを検索するように構成されている、請求項１１〜１７のいずれかに記載の電子機器。
【請求項１９】
行動ログの検索方法であって、
グループを構成する複数のメンバーの各々による行動の内容を含む行動ログを受信するステップと、
各前記行動ログを格納するステップと、
検索キーの入力を受け付けるステップと、
各前記行動ログから、前記検索キーが含まれる行動ログを検索するステップと、
当該検索の結果として、検索された行動ログに含まれる行動に関連付けられる情報を知らせるためのメッセージを出力するステップとを備える、行動ログの検索方法。
【請求項２０】
請求項１９に記載の検索方法をコンピュータに実行させるためのプログラム。
【請求項２１】
電子機器を制御するためのプログラムであって、前記プログラムは、前記電子機器のプロセッサに、
検索キーの入力を受け付けるステップと、
グループを構成する複数のメンバーの各々による行動の内容を含む行動ログにアクセスして、各前記行動ログから、前記検索キーが含まれる行動ログを検索するステップと、
当該検索の結果として、検索された行動ログに含まれる行動に関連付けられる情報を出力するステップとを実行させる、プログラム。
【請求項２２】
前記出力するステップは、前記検索キーの入力を受け付けた電子機器の内部情報に関連付けられた認識情報と同じ認識情報を内部に有する電子機器から入力された行動ログに関連付けられた情報を出力することを含む、請求項２１に記載のプログラム。
【請求項２３】
前記プログラムは前記プロセッサに、各前記行動ログを格納するように構成されたサーバ装置と通信するステップをさらに実行させ、
前記検索するステップは、前記サーバ装置に保存されている各前記行動ログから、前記検索キーが含まれる行動ログを検索することを含む、請求項２１または２２に記載のプログラム。